(57)【要約】【課題】複数の排気管の不等長に起因して顕著となるハーフ次数の排気音を低減させ、排気音色を改善することのできる内燃機関の排気装置を提供する。【解決手段】エンジン１１からの排気ガスをそれぞれ導入する一方の排気管２１及びこれより管長の長い他方の排気管２２を備え、両排気管２１、２２に導入された排気ガスを所定の合流点Ａで合流させて排気する内燃機関の排気装置において、合流点Ａよりも上流側で、排気管２１、２２のうち少なくともいずれか一方の排気温度を調整することにより、一方の排気管２１から合流点Ａに流れる排気ガスの温度を他方の排気管２２から合流点Ａに流れる排気ガスの温度より低い温度に調節する排気温度調節手段４０を設ける。排気温度調節手段４０は、一方の排気管２１内を通る排気ガスを冷却するのがよい。【選択図】図１
2008184934.tif 000002
【特許請求の範囲】
【請求項１】
内燃機関からの排気ガスをそれぞれ導入する一方の排気管及びこの排気管より管長の長い他方の排気管を備え、前記一方の排気管及び前記他方の排気管に導入された前記排気ガスを所定の合流点で合流させて排気する内燃機関の排気装置において、
前記合流点より上流側で、前記一方の排気管、又は前記他方の排気管の少なくとも一方の排気温度を調整することにより、前記一方の排気管から前記合流点に流れる排気ガスの温度を前記他方の排気管から前記合流点に流れる排気ガスの温度より低い温度に調節する排気温度調節手段を設けたことを特徴とする内燃機関の排気装置。
【請求項２】
前記排気温度調節手段が、前記一方の排気管内を通る排気ガスを冷却することを特徴とする請求項１に記載の内燃機関の排気装置。
【請求項３】
前記排気温度調節手段が、前記内燃機関を冷却する冷却水と前記一方の排気管内を通る排気ガスとの間で熱交換する排気熱再循環器を有することを特徴とする請求項１又は２に記載の内燃機関の排気装置。
【請求項４】
前記一方の排気管及び前記他方の排気管からの排気ガスをそれぞれ導入して消音する消音器を備え、前記合流点が前記消音器内に位置することを特徴とする請求項１ないし３の何れか１項に記載の内燃機関の排気装置。
【請求項５】
前記一方の排気管及び前記他方の排気管を両排気管の下流端部で集合させる集合管を備え、前記合流点が前記集合管内に位置することを特徴とする請求項１ないし３の何れか１項に記載の内燃機関の排気装置。
【請求項６】
前記一方の排気管及び前記他方の排気管からの排気ガスを導入して消音する消音器を備え、前記合流点が前記消音器外に位置することを特徴とする請求項１ないし５の何れか１項に記載の内燃機関の排気装置。
【請求項７】
前記一方の排気管に装着された排気ガス浄化用の触媒装置を備え、
前記排気温度調節手段が、前記触媒装置よりも下流側で前記一方の排気管に装着された冷却部を有することを特徴とする請求項１ないし３の何れか１項に記載の内燃機関の排気装置。
【請求項８】
前記他方の排気管に装着された排気ガス浄化用の他方の触媒装置を備え、
前記排気温度調節手段が、前記他方の触媒装置内又は前記他方の触媒装置よりも上流側で前記排気ガスを加熱する加熱部を有することを特徴とする請求項１又は２に記載の内燃機関の排気装置。
【請求項９】
前記内燃機関がそれぞれ複数の気筒が形成された一対のバンクを有し、
前記一方の排気管及び前記他方の排気管が前記一対のバンクにそれぞれ連結されていることを特徴とする請求項１ないし８の何れか１項に記載の内燃機関の排気装置。
【発明の詳細な説明】
【技術分野】
【０００１】
本発明は、内燃機関の排気装置、特に車両に搭載され、多気筒内燃機関の排気ガスを一方及び他方の排気管に導入し合流させて干渉による排気音低減を図る内燃機関の排気装置に関する。
【背景技術】
【０００２】
自動車等の車両に搭載される内燃機関（以下、エンジンともいう）の排気装置は、一般に、多気筒内燃機関の複数の気筒からの排気ガスを排気マニホルドによって排気干渉を抑えながら合流させ、消音器での消音を行ってから大気中に排気するようになっており、従前から各種の排気音低減技術が提案されている。
【０００３】
従来の内燃機関の排気装置としては、例えば排気マニホルドを構成する複数の排気管の一部に管路長を機械的に可変するアクチュエータを設けるとともに、複数の排気管を所定の集合点で集合させ、集合点における複数の排気管からの１〜３次の排気音（エンジン回転数の１倍、２倍及び３倍の周波数を持つ）に位相差を持たせることで、これら複数の排気管からの１〜３次の排気音が相互干渉により相殺するようにしたものがある（例えば、特許文献１参照）。
【０００４】
また、Ｖ型エンジンのように複数のバンクを有する内燃機関の排気装置でも、エンジンの両側に配置された排気マニホルドから一方の排気管及び他方の排気管に排気ガスを導入した後、両排気管内を通る排気ガスを消音器で消音するとともに消音器付近で合流させてから大気中に排気するようにした場合に、一方の排気管と他方の排気管のうち一方を他方からの排気音を減衰する共鳴器とするように両排気管の集合位置を設定したものが知られている（例えば、特許文献２参照）。
【０００５】
さらに、例えば排気通路の触媒コンバータより下流側に排気クーラを設けて、この排気クーラにエンジン冷却水の循環回路から通水するようにして、消音器内を通る排気ガスの流量を低下させることで、排気音低減を図るものもある（例えば、特許文献３参照）。
【特許文献１】実公平３−２０４９０号公報
【特許文献２】特開２００５−１０６０５２号公報
【特許文献３】特開２００４−２４５１２８号公報
【発明の開示】
【発明が解決しようとする課題】
【０００６】
しかしながら、上述のような従来の内燃機関の排気装置にあっては、特にＶ型エンジンの排気装置のように、車両の床下スペースの制限から、消音器（いわゆるメインマフラ）までの２つの排気経路が不等長となる場合に、適当な排気管集合位置の設定によって２つの排気管からの排気ガスの合流時に排気音（音波）を干渉させて整数次数の排気音圧レベルの低減を図ることができる一方で、内燃機関の爆発による基本次数（整数次数）以外のいわゆるハーフ次数の排気音成分（例えばエンジン回転数の０．５倍（０．５次）、１．５倍（１．５次）、２．５倍（２．５次）等の周波数を持つ）の干渉が顕著に現れ、いわゆる「ボロボロ」音のような不快な音色の排気音が生じていた。そのため、不快な排気音の改善という官能性能上の未解決の課題があった。
【０００７】
すなわち、一方の排気管と他方の排気管が等長である場合には、図４（ａ）に示すように、管路長で決まる共鳴周波数が等しくなるために左右のバンクからの整数次数の排気音が干渉により強め合って合流後の合成波が高音圧レベルになるのに対して、一方の排気管と他方の排気管が不等長である場合には、図４（ｂ）に示すように、左右のバンクからの整数次数の排気音は干渉により弱め合って合流後の合成波が低音圧レベルになる傾向があるという利点があるものの、ハーフ次数の排気音については等長である場合に比べて排気合流時の干渉のために排気音圧レベルが相対的に高くなってしまい（図５参照）、その結果、合成された音を聞くと、不快なボロボロとした排気音色となって官能的な排気音性能が低下していた。
【０００８】
そこで、本発明は、複数の排気管の不等長に起因するハーフ次数の排気音干渉を抑え、排気音色を改善した内燃機関の排気装置を提供することを目的とする。
【課題を解決するための手段】
【０００９】
本発明は、上記目的達成のため、（１）内燃機関からの排気ガスをそれぞれ導入する一方の排気管及びこの排気管より管長の長い他方の排気管を備え、前記一方の排気管及び前記他方の排気管に導入された前記排気ガスを所定の合流点で合流させて排気する内燃機関の排気装置において、前記合流点より上流側で、前記一方の排気管、又は前記他方の排気管の少なくとも一方の排気温度を調整することにより、前記一方の排気管から前記合流点に流れる排気ガスの温度を前記他方の排気管から前記合流点に流れる排気ガスの温度より低い温度に調節する排気温度調節手段を設けたことを特徴とする。
【００１０】
この構成により、管長の短い一方の排気管中の音速が相対的に他方の排気管中の音速より小さくなることから、一方の排気管と他方の排気管との管長差を多少小さくするのと同等の効果を生じさせ、一方及び他方の排気管からの排気ガスの合流時に、内燃機関の爆発による基本次数以外のハーフ次数の排気音圧が干渉により強められるのを防止することができ、車両床下のレイアウト面から一方の排気管と他方の排気管の管長が異ならざるを得ない場合等でも、いわゆる「ボロボロ音」のような不快な排気音の音圧レベルを低減させることができる。
【００１１】
上記（１）の構成を有する本発明の内燃機関の排気装置は、好ましくは、（２）前記排気温度調節手段が、前記一方の排気管内を通る排気ガスを冷却するものである。
【００１２】
この場合、一方の排気管内の排気ガス温度が低下するので、一方の排気管内の排気音速が低下され、一方の排気管の気柱共鳴周波数も低下する。これにより、一方の排気管の下流側に消音器があればその消音効果を高めることができるし、大気中に放出される排気温度を低下させることができる。
【００１３】
上記（２）の構成を有する内燃機関の排気装置は、（３）前記排気温度調節手段が、前記内燃機関を冷却する冷却水と前記一方の排気管内を通る排気ガスとの間で熱交換する排気熱再循環器を有するものであるのが好ましい。
【００１４】
この構成により、内燃機関の冷却水と一方の排気管内を通る排気ガスとの間で熱交換がなされるので、排気熱をエンジン側に再循環させることができ、通常のガソリン車やディーゼル車では、始動直後のエンジンの早期暖機及び暖房性能の向上に寄与し得る。また、エンジンとは別に走行駆動用モータを併有するハイブリッド車であれば、更に、エンジン運転時間の短縮による燃費向上に寄与し得るものとなる。
【００１５】
上記（１）〜（３）の何れかの構成を有する内燃機関の排気装置は、（４）前記一方の排気管及び前記他方の排気管からの排気ガスをそれぞれ導入して消音する消音器を備え、前記合流点が前記消音器内に位置するように構成することができる。
【００１６】
この構成により、前記合流点が消音器内に位置するので、一方の排気管を比較的長くすることができ、排気温度調節手段の配置の自由度を高めることができる。
【００１７】
また、上記（１）〜（３）の何れかの構成を有する内燃機関の排気装置は、（５）前記一方の排気管及び前記他方の排気管を両排気管の下流端部で集合させる集合管を備え、前記合流点が前記集合管内に位置するものであってもよい。
【００１８】
この構成により、前記合流点が集合管内に位置するので、一方の排気管及び他方の排気管を消音器等の設置位置に関係なく任意の位置で集合させることができ、前記一方の排気管及び前記他方の排気管の管長設定及びレイアウトの自由度を高めることができる。
【００１９】
上記（１）〜（５）の何れかの構成を有する内燃機関の排気装置は、（６）前記一方の排気管及び前記他方の排気管からの排気ガスを導入して消音する消音器を備え、前記合流点が前記消音器外に位置するのが好ましい。
【００２０】
これにより、消音器を集合管の位置に拘束されることなく配置することができ、そのレイアウトの自由度を高めることができる。なお、この場合、集合管を消音器より上流側に配置して一方の排気管及び他方の排気管を通ったガスを合流させた後に消音器に導入させることができるし、一方の排気管及び他方の排気管にそれぞれ消音器を装着して消音器より下流側で一方の排気管及び他方の排気管を集合させることもできる。
【００２１】
上記（１）〜（３）の何れかの構成を有する本発明の内燃機関の排気装置は、（７）前記一方の排気管に装着された排気ガス浄化用の触媒装置を備え、前記排気温度調節手段が、前記触媒装置よりも下流側で前記一方の排気管に装着された冷却部を有するものでもよい。
【００２２】
この場合、触媒装置を通過した後の排気ガスを冷却するので、触媒装置の始動時暖機性への悪影響がない。
【００２３】
また、上記（１）又は（２）の構成を有する本発明の内燃機関の排気装置は、（８）前記他方の排気管に装着された排気ガス浄化用の他方の触媒装置を備え、前記排気温度調節手段が、前記他方の触媒装置内又は前記他方の触媒装置よりも上流側で前記排気ガスを加熱する加熱部を有するものであってもよい。
【００２４】
この構成により、管長の長い他方の排気管内の排気ガス温度が上昇し、他方の排気管内の排気音速が大きくなることで、管長の短い一方の排気管中の音速が相対的に他方の排気管中の音速より小さくなる。したがって、他方の排気管内の排気音速を上昇させ、実質的にこの他方の排気管の管長を短くしたのと同等の効果、すなわち、一方の排気管と他方の排気管との管長差を多少小さくするのと同等の効果を生じさせ、一方及び他方の排気管からの排気ガスの合流時に内燃機関の爆発による基本次数以外のハーフ次数の排気音圧が干渉により強められるのを防止することができる。
【００２５】
また、上記（１）〜（８）の何れかの構成を有する本発明の内燃機関の排気装置は、（９）前記内燃機関がそれぞれ複数の気筒が形成された一対のバンクを有し、前記一方の排気管及び前記他方の排気管が前記一対のバンクにそれぞれ連結されているものであるのが好ましい。
【００２６】
この構成により、Ｖ型エンジンの一対のバンクに対応する２つの排気管が不等長になっても、ハーフ次数の排気音成分を有効に低減させることができる。
【発明の効果】
【００２７】
本発明によれば、一方の排気管中の音速を相対的に他方の排気管中の音速よりも低下させて両排気管の管長差を小さくするのと同等の効果を生じさせ、両排気管からの排気ガスの合流時に内燃機関の爆発による基本次数以外のハーフ次数の排気音圧が干渉により強められるのを防止することができ、車両床下のレイアウト面から一方の排気管と他方の排気管の管長が異ならざるを得ない場合等でも、いわゆる「ボロボロ音」のような不快な排気音圧レベルを低減させることができる。その結果、排気音色を改善した内燃機関の排気装置を提供することができる。
【発明を実施するための最良の形態】
【００２８】
以下、本発明の好ましい実施の形態について、図面を参照しつつ説明する。
【００２９】
[第１の実施の形態]
図１及び図２は本発明の第１の実施の形態に係る内燃機関の排気装置を示す図である。
【００３０】
まず、その構成について説明する。
【００３１】
図１において、多気筒の内燃機関であるＶ型８気筒のエンジン１１は複数のバンク１１ａ、１１ｂを有しており、エンジン１１の両側に配置された排気マニホルド１２、１３がその上流側の端部でバンク１１ａ、１１ｂに結合され、エンジン１１の各バンク１１ａ、１１ｂから排気マニホルド１２、１３内の排気通路内に排気ガスが排出されるようになっている。
【００３２】
具体的には、排気マニホルド１２は、例えばエンジン１１の一方のバンク１１ａに形成された第１気筒から第４気筒（図１中に＃１、＃２、＃３、＃４の符号で示す複数の気筒）の排気ポートにそれぞれ接続する複数の排気導入部１２ａ及びこれらを集合させる集合管部１２ｂを有しており、排気マニホルド１３は、例えばエンジン１１の他方のバンク１１ｂに形成された第５気筒から第８気筒（図１中に＃５、＃６、＃７、＃８の符号で示す複数の気筒）の排気ポートにそれぞれ接続する複数の排気導入部１３ａ及びこれらを集合させる集合管部１３ｂを有している。なお、エンジン１１は所定の爆発順序、例えば第１気筒、第８気筒、第４気筒、第３気筒、第６気筒、第５気筒、第２気筒、第７気筒の順に爆発するようになっており、エンジン１１の運転中、その順序で排気行程となるエンジン１１から排気マニホルド１２、１３内に順次排気がなされるようになっている。
【００３３】
本実施形態の内燃機関の排気装置は、これら排気マニホルド１２、１３を介してエンジン１１からの排気ガスをそれぞれ導入する互いに管長の異なる第１の排気管２１（一方の排気管）及び第２の排気管２２（他方の排気管）を備えている。第１の排気管２１は、第２の排気管２２より管長が短くなっており、排気マニホルド１２の集合管部１２ｂに接続されている。また、第１の排気管２１より管長が長い第２の排気管２２は、排気マニホルド１３の集合管部１３ｂに接続されている。
【００３４】
第１の排気管２１及び第２の排気管２２内を通る排気ガスは、所定の合流点Ａで合流した後に排気されるようになっている。
【００３５】
すなわち、第１の排気管２１及び第２の排気管２２は、それぞれ排気マニホルド１２、１３に接続された上流端部２１ａ、２２ａと、消音器２４に接続された下流端部２１ｂ、２２ｂとを有しており、両排気管２１、２２の下流端部２１ｂ、２２ｂはそれぞれ消音器２４内に挿入され、消音器２４内で開口している。この場合、第１の排気管２１及び第２の排気管２２内を通る排気ガスはこの消音器２４内で合流することになり、所定の合流点Ａは消音器２４内に位置する。
【００３６】
なお、排気マニホルド１２、１３内の排気通路の長さは互いに等しくなっているので、第１の排気管２１の管長Ｌ１はエンジン１１の一方のバンク１１ａの複数の排気ポートから合流点Ａまでの平均の排気通路長さに対応し、第２の排気管２２の管長Ｌ２はエンジン１１の他方のバンク１１ｂの複数の排気ポートから合流点Ａまでの平均の排気通路長さに対応することになる。
【００３７】
また、図１では、第１の排気管２１は、それぞれ触媒装置３１ａ、３１ｂを装着した上流側排気管部２１ｃと、消音器２４側に溶接等により固定された下流側排気管部２１ｄとからなり、これら上流側排気管部２１ｃ及び下流側排気管部２１ｄをフランジ接合部２１ｅでフランジ結合したものとなっている。同様に、第２の排気管２２も、それぞれ触媒装置３２ａ、３２ｂを装着した上流側排気管部２２ｃと、消音器２４側に溶接等により固定された下流側排気管部２２ｄとからなり、これら上流側排気管部２２ｃ及び下流側排気管部２２ｄをフランジ接合部２２ｅでフランジ結合したものとなっている。さらに、消音器２４には排気口２６ａを有する最後尾の排気管部２６が接続されている。なお、消音器２４自体は公知のものであるので、消音器２４の詳細な内部構造の説明は省略する。
【００３８】
一方、第１の排気管２１及び第２の排気管２２のうち管長の短い第１の排気管２１には、合流点Ａより上流側に位置して第１の排気管２１から合流点Ａに流れる排気ガスの温度を、第２の排気管２２から合流点Ａに流れる排気ガスの温度より低い温度に調節する排気温度調節手段としての排気熱再循環器４０が装着されている。
【００３９】
排気熱再循環器４０は、エンジン１１の冷却水と第１の排気管２１内を通る排気ガスとの間で熱交換する公知の熱交換器であり、例えば図２に示すように、第１の排気管２１の一部の全周を取り囲むケース４１内に排気クーラ４２を設けたものである。この排気クーラ４２は、ケース４１を貫通する冷却水導入部４２ａ及び冷却水排出部４２ｂと、これら冷却水導入部４２ａ及び冷却水排出部４２ｂに接続されたクーラ本体部４２ｃとによって構成されており、クーラ本体部４２ｃはその内部に図示しない冷却水通路を有するとともに、ケース４１内の排気ガスに広面積で接触する排気冷却面を有している。なお、排気熱再循環器４０のこのような熱交換器としての構成自体は、他の公知の各種の熱交換器の構成（例えば上記特許文献３の図６に図示されたもの）と同様とすることができる。
【００４０】
また、排気熱再循環器４０の排気クーラ４２は、エンジン１１に装備された図示しないウォーターポンプに配管接続され、エンジン１１内のウォータージャケット及びその前方に配置されたラジエータ４５内を通る冷却水の循環回路の一部を構成するようになっており、例えば冷却水導入部４２ａにエンジン１１を冷却した後の冷却水を導入し、冷却水排出部４２ｂからエンジン１１側（ラジエータ４５からエンジン１１への冷却水供給通路）に排気冷却後の冷却水を還流させるようになっている。すなわち、排気クーラ４２は、排気冷却により温度上昇した冷却水をエンジン１１側に還流させることで、エンジン１１の排気熱をエンジン１１側に再循環させることができる。
【００４１】
排気熱再循環器４０は、さらに、排気クーラ４２内を通る冷却水の流量を加減調節する流量調節バルブ４７を含んで構成されており、この流量調節バルブ４７は、例えばエンジン１１又はラジエータ４５に支持される一方、エンジン１１を電子制御する図示しないエンジンコントロールコンピュータによって制御されるようになっている。すなわち、排気熱再循環器４０は、流量調節バルブ４７及びエンジンコントロールコンピュータと協働し、前記排気温度調節手段として機能する。
【００４２】
また、排気熱再循環器４０は、第１の排気管２１に装着された排気ガス浄化用の触媒装置３１ａ、３１ｂよりも下流側に位置しており、触媒装置３１ａ、３１ｂを通過した後の排気ガスが排気熱再循環器４０のケース４１内を通るようになっている。
【００４３】
次に、作用を説明する。
【００４４】
エンジン１１の運転中、エンジン１１の両側の排気マニホルド１２、１３から第１の排気管２１及び第２の排気管２２に排気ガスが導入され、両排気管２１、２２内を通った排気ガスは消音器２４内で合流するとともに消音され、最後尾の排気管部２６を通して大気中に排気される。
【００４５】
この状態において、第１の排気管２１及び第２の排気管２２には、エンジン１１の所定の爆発順序に従ってエンジン１１から順次高温の排気がなされ、第１の排気管２１及び第２の排気管２２内の排気圧力がエンジン１１の回転に応じて変動する。
【００４６】
このとき、エンジン１１の排気ポートから合流点Ａまでの排気通路長さをＬ、通路（排気管路）の直径をｄとし、エンジン１１の回転に応じて変動する排気音（音波）の周波数をｆ、モード次数をｍ、音速をＣとすれば、各排気管２１、２２内の排気音による各排気管２１、２２のヘルムホルツ共鳴周波数（固有振動数）は、次の式（１）で表される。
【数１】
2008184934.tif 000003
本実施形態においては、排気熱再循環器４０によって、エンジン１１の冷却水と第１の排気管２１内を通る排気ガスとの間の熱交換がなされ、第１の排気管２１内を通る排気ガスの温度が第２の排気管２２内を通る排気ガスの温度より低温に調節されるので、第１の排気管２１内の音速が低下し、第１の排気管２１の気柱共鳴周波数ｆも低下することになって、実質的に第１の排気管２１の管長Ｌ１を長くしたのと同等の効果が生じることになる。したがって、合流点Ａにおける第１の排気管２１及び第２の排気管２２からの排気ガスの合流時に、エンジン１１の爆発による基本次数（整数次数）以外のハーフ次数の排気音圧が干渉により強め合うことのが防止され、ハーフ次数の排気音が不快な排気音として聞こえる音域から外れる。すなわち、本実施形態のようにＶ型エンジンで、第１の排気管２１と第２の排気管２２に対応する２つの排気ガス通路が不等長になり易い場合でも、ハーフ次数の排気音成分を有効に低減させることができ、その結果、車両の床下のレイアウト面から第１の排気管２１と第２の排気管２２が不等長にならざるを得ない場合でも、いわゆる「ボロボロ音」のような不快な排気音の音圧レベルを低減させることができる。
【００４７】
ちなみに、仮に、第１の排気管２１を管長２ｍとして、排気熱再循環器４０によって排気温度を例えば摂氏８００度から４００度までの範囲で低下させるとすれば、上記（１）式より、排気熱再循環器４０による気柱共鳴周波数ｆの調整幅は１７Ｈｚ程度となり、これはＶ型８気筒エンジンの場合、２５５ｒｐｍ分の回転差に相当する調節幅であるから、ハーフ次数の不快な排気音の低減に寄与し得ることがわかる。
【００４８】
また、本実施形態では、排気温度調節手段としての排気熱再循環器４０が、エンジン１１の冷却水と第１の排気管２１内を通る排気ガスとの間の熱交換をなし、排気熱を再循環させるので、通常のガソリン車やディーゼル車では、始動直後のエンジン１１の早期暖機及び車両の暖房性能の向上に寄与し得るものとなる。また、車両がエンジン１１と共に走行駆動用の電気モータを装備したハイブリッド車であれば、更に、エンジン運転時間の短縮による燃費向上に寄与することができる。
【００４９】
また、本実施形態では、合流点Ａが消音器２４内に位置するので、第１の排気管２１を比較的長くすることができ、排気熱再循環器４０の配設位置がさほど制約されないで済むことになる。
【００５０】
さらに、触媒装置３１ａ、３１ｂよりも下流側に位置する排気熱再循環器４０は、触媒装置３１ａ、３１ｂを通過した後の排気ガスを冷却することになるので、触媒装置３１ａ、３１ｂの始動時暖機性への悪影響もない。
【００５１】
このように、本実施形態の内燃機関の排気装置によれば、第１の排気管２１内の音速を低下させて第１の排気管２１の気柱共鳴周波数ｆを低下させ、実質的にこの第１の排気管２１の管長Ｌ１を長くしたのと同等の効果を生じさせて、第１の排気管２１及び第２の排気管２２からの排気ガスの合流時にエンジン１１の爆発による基本次数以外のハーフ次数の排気音圧が干渉により強め合うのを有効に抑制することができるので、車両床下のレイアウト面から第１の排気管２１と第２の排気管２２の管長が異ならざるを得ない場合等でも、いわゆる「ボロボロ音」のような不快な排気音圧レベルを低減させることができ、排気音色を改善した内燃機関の排気装置を提供することができる。
【００５２】
なお、上述の実施形態においては、第１の排気管２１及び第２の排気管２２を通る排気ガスの合流点Ａを消音器２４内に位置させていたが、消音器２４外にその合流点を設定すべく、第１の排気管２１及び第２の排気管２２の下流端部を消音器２４外で集合させてもよいことはいうまでもない。すなわち、消音器２４より上流側に集合管を配置して第１の排気管２１及び第２の排気管２２を通ったガスを合流させた後に消音器２４に導入することができるし、第１の排気管２１及び第２の排気管２２にそれぞれ消音器２４と同程度に消音可能な消音器を装着してそれらの消音器より下流側で第１の排気管２１及び第２の排気管２２を通ったガスを集合管により合流させることもできる。次に、そのような実施の形態について説明する。
【００５３】
[第２の実施の形態]
図３は、本発明の第２の実施の形態に係る内燃機関の排気装置を示す図である。
【００５４】
本実施形態は上述の第１の実施の形態と類似するもので、第１の排気管及び第２の排気管を通る排気ガスの合流のさせ方が上述の場合とは異なるために第１の排気管及び第２の排気管の長さや形状が相違する点を除けば、他の構成は第１の実施の形態と同様である。したがって、図３中において図１に示した第１の実施の形態の構成要素と同様なものについては、図１中の対応する構成要素と同一の符号で示し、以下、その相違点について説明する。
【００５５】
図３に示すように、本実施形態の内燃機関の排気装置は、第１の排気管５１（一方の排気管）及び第２の排気管５２（他方の排気管）を消音器５４の外方で集合させる集合管５３を備えており、第１の排気管５１及び第２の排気管５２内を通る排気ガスの合流点Ｂがその集合管５３内に位置している。集合管５３は、略Ｙ字形のその集合管構造自体は公知のものと同様で、第１の排気管５１及び第２の排気管５２の下流端部を構成する一対の上流部５３ａ、５３ｂと、消音器５４に接続された下流部５３ｃとを有している。なお、第１の排気管５１及び第２の排気管５２の上流側排気管部５１ｃ、５２ｃは、上述した第１の実施形態の排気管２１、２２の上流側排気管部２１ｃ、２２ｃとほぼ同様のもので、排気マニホルド１２、１３に接続されている。
【００５６】
本実施形態においても、第１の排気管５１の管路中の気柱共鳴周波数ｆを低下させ、実質的にこの第１の排気管５１の管長Ｌ１を長くしたのと同等の効果を生じさせて、合流点Ｂにおける第１の排気管５１及び第２の排気管５２内を通る排気ガスの合流時にエンジン１１の爆発による基本次数以外のハーフ次数の排気音圧が干渉により強められるのを防止することができ、上述の第１の実施形態と同様の効果が期待できる。
【００５７】
さらに、本実施形態においては、合流点Ｂが集合管５３内に位置するので、第１の排気管５１及び第２の排気管５２内の管路を消音器５４等の設置位置に関係なく任意の位置で合流させることができる。したがって、第１の排気管５１及び第２の排気管５２の管長設定及びレイアウトの自由度を高めることができる。
【００５８】
なお、上述の各実施形態においては、第１の排気管及び第２の排気管のうち管長の短い第１の排気管側に排気熱再循環器４０を設けていたが、本発明における排気温度調節手段は冷却水を利用する熱交換器に限定されるものでないし、第１の排気管内を通る排気ガスを冷却するものに限定されるものでもない。
【００５９】
例えば、図３に示した第１の排気管５１及び第２の排気管５２のうち管長の長い第２の排気管５２に、同図中に仮想線で示すように電気ヒータｈ１、ｈ２（排気温度調節手段）を装着して第２の排気管５２を通る排気ガス温度を上昇させるようにすれば、第２の排気管５２内の排気音速を高めることにより第２の排気管５２の管長を多少短くしたのと同等の効果を生じさせることができ、両排気管５１、５２からの排気ガスの合流点Ｂでの合流時にエンジン１１の爆発による基本次数以外のハーフ次数の排気音圧が干渉により強められるのを防止することができる。この場合、電気ヒータｈ１、ｈ２は、触媒装置３２ａ、３２ｂのいずれか一方又は双方に装着するか、あるいは、下流側の触媒装置３２ｂより上流側に位置させるようにすることで、触媒暖機用のヒータとしても機能し得る。
【００６０】
図３に示す場合、排気温度調節手段が電気ヒータｈ１、ｈ２と共に第１の排気管５１に装着された排気熱再循環器４０を併有するものとなるから、排気熱再循環器４０のみの第２の実施の形態よりも合流点Ｂにけるハーフ次数の排気音低減のための調整幅を拡大し得る。また、第１の排気管５１に排気熱再循環器４０を装着せず、第２の排気管５２に電気ヒータｈ１、ｈ２を装着するだけでも、排気音色の調整効果は期待できる。
【００６１】
以上説明したように、本発明は、一方の排気管又は他方の排気管の少なくとも一方の排気温度を調整することにより、第１の排気管中の音速を第２の排気管中のそれより相対的に低下させ、第１の排気管と第２の排気管の管長差を縮小したのと同等の効果を生じさせて、第１及び第２の排気管の合流点における両排気管からの排気ガスの合流時に内燃機関の爆発による基本次数以外のハーフ次数の排気音圧が干渉により強め合うのを抑制することができ、車両床下のレイアウト面から第１の排気管と第２の排気管の管長が異ならざるを得ない場合等でも、いわゆる「ボロボロ音」のような不快な排気音圧レベルを低減させることができ、排気音色を改善した内燃機関の排気装置を提供することができるという効果を奏するものであり、内燃機関の排気装置、特に車両に搭載され、多気筒内燃機関の排気ガスを一方及び他方の排気管に導入し合流させて干渉による排気音低減を図る内燃機関の排気装置全般に有用である。
【図面の簡単な説明】
【００６２】
【図１】本発明に係る内燃機関の排気装置の第１実施形態の概略の全体構成を示す平面図である。
【図２】第１の実施の形態に係る内燃機関の排気装置の要部の模式的断面図である。
【図３】本発明に係る内燃機関の排気装置の第２実施形態の概略の全体構成を示す平面図である。
【図４】従来の内燃機関の排気装置における２つの排気管が等長の場合（ａ）と不等長の場合（ｂ）のそれぞれについて、整数次数の排気音の干渉による音圧レベルの変化を示すグラフで、縦軸は排気音圧レベルを、横軸は周波数を示す。
【図５】従来の内燃機関の排気装置における２つの排気管が不等長の場合にハーフ次数の排気干渉が顕著に現れるという問題点を説明するグラフで、縦軸は排気音圧レベルを、横軸は周波数を示す。
【符号の説明】
【００６３】
１１  エンジン
１１ａ、１１ｂ  バンク
１２、１３  排気マニホルド
２１、５１  第１の排気管（一方の排気管）
２１ａ、２２ａ、５１ａ、５２ａ  上流端部
２１ｂ、２２ｂ、５１ｂ、５２ｂ  下流端部
２１ｃ、２２ｃ  上流側排気管部
２１ｄ、２２ｄ  下流側排気管部
２１ｅ、２２ｅ  フランジ接合部
２２、５２  第２の排気管（他方の排気管）
２４、５４  消音器
２６  最後尾の排気管部
３１ａ、３１ｂ  触媒装置
３２ａ、３２ｂ  触媒装置（他方の触媒装置）
４０  排気熱再循環器（排気温度調節手段）
４１  ケース
４２  排気クーラ
４２ａ  冷却水導入部
４２ｂ  冷却水排出部
４２ｃ  クーラ本体部
４５  ラジエータ
４７  流量調節バルブ
５３  集合管
５３ａ、５３ｂ  上流部
５３ｃ  下流部
Ａ、Ｂ  合流点
ｈ１、ｈ２  電気ヒータ（排気温度調節手段）
Ｌ１、Ｌ２  管長
【図１】
2008184934.tif 000004
【図２】
2008184934.tif 000005
【図３】
2008184934.tif 000006
【図４】
2008184934.tif 000007
【図５】
2008184934.tif 000008